(57)【要約】【課題】  携帯端末において、使用するソフト部品を選択できるようにすることで、従来支払っていた代金よりも安くすることを課題とする。【解決手段】ソフトウエアを作成するソフトベンダ１０と、携帯端末を製造するメーカ２０と、通信サービスを提供するキャリア３０と、携帯端末の利用者であるユーザ４０とで行う携帯端末の販売方法であって、ソフトベンダ１０は、ソフトウエアを暗号化し、メーカ２０は暗号化されたソフトウエアを携帯端末に組み込み、キャリア３０は携帯端末を識別するための識別子をソフトベンダ１０に送り、ソフトベンダ１０は識別子と識別子に対応する鍵をキャリア３０に送り、キャリア３０は識別子と鍵を対応付けて保存し、ユーザ４０は使用を望むソフトウエアの鍵を購入し、購入した鍵で暗号化されたソフトウエアを復号化する。【選択図】  図１
2005293079.tif 000002
【特許請求の範囲】
【請求項１】
携帯端末の使用方法において、
所定の機能を果たすソフトウエアを暗号化し、当該暗号化されたソフトウエアを前記携帯端末に組み込み、前記暗号化されたソフトウエアを解除するための鍵を取得し、当該鍵で前記ソフトウエアを復号化することを特徴とする携帯端末の使用方法。
【請求項２】
携帯端末の使用方法において、
所定の機能を果たすソフトウエアを前記携帯端末に組み込み、前記ソフトウエアにパスワードを入力しないと動作しない制限をかけ、前記パスワードを取得し、前記パスワードで前記ソフトウエアを動作可能な状態にすることを特徴とする携帯端末の使用方法。
【請求項３】
携帯端末の使用方法において、
所定の機能を果たすソフトウエアを暗号化する公開鍵と当該暗号化されたソフトウエアを復号化する秘密鍵とを作成し、前記公開鍵を用いて前記ソフトウエアを暗号化し、当該暗号化されたソフトウエアを前記携帯端末に組み込み、前記秘密鍵を取得し、当該秘密鍵で前記ソフトウエアを復号化することを特徴とする携帯端末の使用方法。
【請求項４】
ソフトウエアを作成するソフトベンダと、携帯端末を製造するメーカと、通信サービスを提供するキャリアと、携帯端末の利用者であるユーザとの間で行う携帯端末の販売方法であって、
前記ソフトベンダは、前記ソフトウエアを暗号化し、前記メーカは当該暗号化されたソフトウエアを前記携帯端末に組み込み、前記キャリアは前記携帯端末を識別するための識別子を前記ソフトベンダに送り、前記ソフトベンダは当該識別子と当該識別子に対応する鍵を前記キャリアに送り、前記キャリアは前記識別子と前記鍵を対応付けて保存し、前記ユーザは使用を望むソフトウエアの鍵を購入し、当該購入した鍵で前記暗号化されたソフトウエアを復号化することを特徴とする携帯端末の販売方法。
【請求項５】
ソフトウエアを作成するソフトベンダと、携帯端末を製造するメーカと、通信サービスを提供するキャリアと、携帯端末の利用者であるユーザとの間で行う携帯端末の販売方法であって、
前記ソフトベンダは、前記ソフトウエアを作成し、前記メーカはパスワードを入力しないと使用できない使用制限をかけつつ前記ソフトウエアを前記携帯端末に組み込み、前記キャリアは前記携帯端末と前記パスワードとを対応付けて保存し、前記ユーザは使用を望むソフトウエアの使用制限を解除する前記パスワードを購入し、当該購入したパスワードで前記ソフトウエアの前記使用制限を解除することを特徴とする携帯端末の販売方法。
【請求項６】
ソフトウエアを作成するソフトベンダと、携帯端末を製造するメーカと、通信サービスを提供するキャリアと、携帯端末の利用者であるユーザとの間で行う携帯端末の販売方法であって、
前記ソフトベンダは、前記ソフトウエアを暗号化する公開鍵と当該暗号化されたソフトウエアを復号化する秘密鍵とを作成し、前記メーカは前記公開鍵を用いて前記ソフトウエアを暗号化し当該暗号化されたソフトウエアを前記携帯端末に組み込み、前記キャリアは前記携帯端末を識別するための識別子を前記ソフトベンダに送り、前記ソフトベンダは当該識別子と当該識別子に対応する前記秘密鍵を前記キャリアに送り、前記キャリアは前記識別子と前記秘密鍵を対応付けて保存し、前記ユーザは使用を望むソフトウエアの秘密鍵を購入し、当該購入した鍵で前記暗号化されたソフトウエアを復号化することを特徴とする携帯端末の販売方法。
【請求項７】
ソフトウエアを作成するソフトベンダと、携帯端末を製造するメーカと、通信サービスを提供するキャリアと、携帯端末の利用者であるユーザとの間で行う携帯端末の販売システムであって、
前記ソフトベンダは、前記ソフトウエアを暗号化する手段と、
前記携帯端末を識別するための識別子と当該識別子に対応する鍵とを前記キャリアに送る手段と、を備えており、
前記メーカは、当該暗号化されたソフトウエアを前記携帯端末に組み込む手段と、を備えており、
前記キャリアは、前記識別子を前記ソフトベンダに送る手段と、
前記識別子と前記鍵を対応付けて保存する手段と、を備えており、
前記ユーザは、使用を望むソフトウエアの鍵を購入する手段と、
当該購入した鍵で前記暗号化されたソフトウエアを復号化する手段と、を備えており、ここで、
前記ソフトベンダは前記暗号化手段で暗号化し、前記メーカは組み込み手段で当該暗号化されたソフトウエアを組み込み、前記キャリアは前記識別子送り手段で前記識別子を送り、前記ソフトベンダは前記鍵を送る手段で前記鍵を送り、前記キャリアは前記識別子と前記鍵を対応付けて保存する手段で保存し、前記ユーザは前記鍵を購入する手段で鍵を購入し、前記復号化手段で前記ソフトウエアを復号化することを特徴とする携帯端末の販売システム。
【請求項８】
ソフトウエアを作成するソフトベンダと、携帯端末を製造するメーカと、通信サービスを提供するキャリアと、携帯端末の利用者であるユーザとの間で行う携帯端末の販売システムであって、
前記ソフトベンダは、前記ソフトウエアを作成する手段と、を備えており
前記メーカは、パスワードを入力しないと使用できない使用制限をかけつつ前記ソフトウエアを前記携帯端末に組み込む手段と、を備えており、
前記キャリアは、前記携帯端末と前記パスワードとを対応付けて保存する手段と、を備えており、
前記ユーザは、使用を望むソフトウエアの使用制限を解除する前記パスワードを購入する手段と、
購入したパスワードで前記ソフトウエアの前記使用制限を解除する手段と、を備えており、ここで、
前記ソフトベンダは前記ソフトウエア作成手段で前記ソフトウエアを作成し、前記メーカは組み込み手段で前記ソフトウエアを組み込み、前記キャリアは前記携帯端末と前記パスワードとを対応付けて保存する手段で保存し、前記ユーザは前記パスワードを購入する手段で前記パスワードを購入し、前記使用制限解除手段で前記ソフトウエアの使用制限を解除することを特徴とする携帯端末の販売システム。
【請求項９】
ソフトウエアを作成するソフトベンダと、携帯端末を製造するメーカと、通信サービスを提供するキャリアと、携帯端末の利用者であるユーザとの間で行う携帯端末の販売システムであって、
前記ソフトベンダは、前記ソフトウエアを暗号化する公開鍵と当該暗号化されたソフトウエアを復号化する秘密鍵とを作成する手段と、
当該識別子と当該識別子に対応する前記秘密鍵を前記キャリアに送る手段と、を備えており、
前記メーカは、前記公開鍵を用いて前記ソフトウエアを暗号化し当該暗号化されたソフトウエアを前記携帯端末に組み込む手段と、を備えており、
前記キャリアは、前記携帯端末を識別するための識別子を前記ソフトベンダに送る手段と、
当該識別子と前記秘密鍵を対応付けて保存する手段と、を備えており、
前記ユーザは、使用を望むソフトウエアの秘密鍵を購入する手段と、
当該購入した鍵で前記暗号化されたソフトウエアを復号化する手段と、を備えており、ここで、
前記ソフトベンダは、前記公開鍵秘密鍵作成手段で前記公開鍵及び前記秘密鍵を作成し、前記メーカは前記組み込み手段で前記ソフトウエアを組み込み、前記キャリアは、前記識別子送り手段で前記識別子を送り、前記ソフトベンダは、前記識別子と前記識別子に対応する秘密鍵を送る手段で当該識別子と前記秘密鍵を送り、前記キャリアは前記保存する手段で前記秘密鍵を保存し、前記ユーザは、前記秘密鍵購入手段で前記秘密鍵を購入し、前記復号化手段で復号化することを特徴とする携帯端末の販売システム。
【発明の詳細な説明】
【技術分野】
【０００１】
本発明は、携帯端末の使用方法、販売方法及び販売システムに関し、特に、携帯電話機及びＰＤＡ（Personal Digital Assistant）等の携帯端末の使用方法、販売方法及び販売システムに関する。
【背景技術】
【０００２】
従来、携帯電話機は、ブラウザ機能やユーザの入力を予測するＦＥＰ機能など多くの機能を搭載している。
【０００３】
特許文献１には、ネットワークに接続されたサーバーと、ネットワークを介して前記サーバーにアクセスできるユーザ端末とを備え、ユーザ端末は、あらかじめ決められたＩＤでサーバーにログインするログイン手段と、データを入力処理するソフトウエア・コンポーネントをサーバーからダウンロードし、このソフトウエア・コンポーネントにて、データを入力処理してサーバーに送信し、サーバーにて処理された結果データを受信するデータ処理手段とを有し、サーバーは、ユーザ端末からのＩＤを認証して、業務アプリケーションの使用を許可するＩＤ認証手段と、ユーザ端末からの入力データを受けて、業務アプリケーションにて処理して結果データを出力するアプリケーション処理手段とを有するネットワークを介した業務アプリケーション提供システムが開示されている。
【０００４】
また、特許文献２には、通信サービスオペレータが提供するネットワークサービスに関して、位置登録によってネットワークに接続し、制御部により音声信号またはデータ信号の送受信を行なう携帯電話端末であって、制御部が、複数の通信サービスオペレータが要求する端末／ネットワークサービスに対応して必要とされる機能を備えており、制御部が、接続すべきネットワークの認識番号を認識して、この認識番号に基づいて、ネットワークに対応して各機能を有効または無効にする携帯電話端末が開示されている。
【０００５】
さらに、特許文献３には、電話機と通信接続する接続手段と、電話機の識別情報を電話機から取得する識別情報取得手段と、この識別情報取得手段により取得された電話機の識別情報に従って情報端末内に所定の情報を設定する識別情報対応設定手段と、を備えた情報端末が開示されている。
【０００６】
また、特許文献４には、認定機関により認定機関の認定プログラムであると認定され、秘密鍵を用いて暗号化されたプログラムまたは認定機関の認定を得ていないプログラムを受信する受信手段と、受信手段により受信されたプログラムが認定機関の認定プログラムであるか否かを、秘密鍵と対になる公開鍵を用いてプログラムの復号処理を行なった結果に基づいて判別する判別手段と、受信手段により受信されたプログラムを実行している場合に通信端末がアクセスすることのできるリソースを、プログラムに対する判別手段の判別結果に基づいて決定する決定手段とを有する通信端末が開示されている。
【０００７】
また、特許文献５には、複数の対象データを含むアプリケーションにおいて、その利用を制御するソフトウエア利用制御方式において、アプリケーション提供ステップとアプリケーション利用ステップで構成され、アプリケーション提供ステップは、各対象データにそれぞれ固有の識別子を付与する識別子付与ステップと、識別子と利用者共通の第１の制御データを構成要素として含む第１の制御テーブルと、識別子と利用者個別の第２の制御データを構成要素として含む第２の制御テーブルと、を作成する制御テーブル作成ステップと、各対象データと、第１の制御テーブルを多重化してアプリケーションを作成する多重化ステップと、アプリケーション及び第２の制御テーブルを配布する配布ステップと、で構成され、アプリケーション利用ステップは、アプリケーションを各対象データと第１の制御テーブルに分離する分離ステップと、第１の制御テーブル及び第２の制御テーブルにおける、各対象データに付与された識別子に該当する第１の制御データ及び第２の制御データを用いて、その対象データの利用を許可するかどうかを判定する利用許可判定ステップと、利用許可判定ステップが、許可と判定した場合には対象データの利用を可能とし、不許可と判定した場合には対象データの利用を不可能とするように対象データの利用を制御する利用制御ステップとで構成されるソフトウエア利用制御方式が開示されている。
【特許文献１】特開２００１−３１８９９６号公報
【特許文献２】特開２００３−０３２７４０号公報
【特許文献３】特開２００３−１３４２５７号公報
【特許文献４】特開２００３−３３７６３０号公報
【特許文献５】特開平０９−２５１７１４号公報
【発明の開示】
【発明が解決しようとする課題】
【０００８】
携帯電話機では、ブラウザやユーザの入力を予測するＦＥＰ等、多くのソフトウエアを搭載している。これらのソフトウエアは、他の企業より提供を受けロイヤリティを支払って組み込んでいることも多く、携帯電話機の価格上昇の一要因となっていると思われる。
【０００９】
しかし、他の製品と差別化を図るため、より多くのソフトウエアを搭載していく傾向にある。携帯電話機を購入後、Ｊａｖａ（登録商標）などのソフトウエアを用いて別のソフトウエアを追加することも可能であるが、この場合、悪意をもったＪａｖａ（登録商標）アプリケーション（ウィルスなど）の危険を伴う。
【００１０】
さらに、最初から組み込まれたものと比較し、処理が重いなどの性能面での問題があることもある。また、ダウンロードしたアプリケーションに対しセキュリティを保つために、（ダウンロードしたアプリケーションが）使用できるソフトウエアに制限をかけている場合が多く、このため使いにくいこともある。
【００１１】
そこで、本発明は、上記の課題を解決することを目的とする。
【課題を解決するための手段】
【００１２】
本発明は、上記課題を解決するための手段として、携帯端末の使用方法において、所定の機能を果たすソフトウエアを暗号化し、当該暗号化されたソフトウエアを前記携帯端末に組み込み、前記暗号化されたソフトウエアを解除するための鍵を取得し、当該鍵で前記ソフトウエアを復号化することを特徴とする。
【００１３】
また、本発明は、携帯端末の使用方法において、所定の機能を果たすソフトウエアを前記携帯端末に組み込み、前記ソフトウエアにパスワードを入力しないと動作しない制限をかけ、前記パスワードを取得し、前記パスワードで前記ソフトウエアを動作可能な状態にすることを特徴とする。
【００１４】
また、本発明は、携帯端末の使用方法において、所定の機能を果たすソフトウエアを暗号化する公開鍵と当該暗号化されたソフトウエアを復号化する秘密鍵とを作成し、前記公開鍵を用いて前記ソフトウエアを暗号化し、当該暗号化されたソフトウエアを前記携帯端末に組み込み、前記秘密鍵を取得し、当該秘密鍵で前記ソフトウエアを復号化することを特徴とする。
【００１５】
また、本発明は、ソフトウエアを作成するソフトベンダと、携帯端末を製造するメーカと、通信サービスを提供するキャリアと、携帯端末の利用者であるユーザとの間で行う携帯端末の販売方法であって、前記ソフトベンダは、前記ソフトウエアを暗号化し、前記メーカは当該暗号化されたソフトウエアを前記携帯端末に組み込み、前記キャリアは前記携帯端末を識別するための識別子を前記ソフトベンダに送り、前記ソフトベンダは当該識別子と当該識別子に対応する鍵を前記キャリアに送り、前記キャリアは前記識別子と前記鍵を対応付けて保存し、前記ユーザは使用を望むソフトウエアの鍵を購入し、当該購入した鍵で前記暗号化されたソフトウエアを復号化することを特徴とする。
【００１６】
また、本発明は、ソフトウエアを作成するソフトベンダと、携帯端末を製造するメーカと、通信サービスを提供するキャリアと、携帯端末の利用者であるユーザとの間で行う携帯端末の販売方法であって、前記ソフトベンダは、前記ソフトウエアを作成し、前記メーカはパスワードを入力しないと使用できない使用制限をかけつつ前記ソフトウエアを前記携帯端末に組み込み、前記キャリアは前記携帯端末と前記パスワードとを対応付けて保存し、前記ユーザは使用を望むソフトウエアの使用制限を解除する前記パスワードを購入し、当該購入したパスワードで前記ソフトウエアの前記使用制限を解除することを特徴とする。
【００１７】
また、本発明は、ソフトウエアを作成するソフトベンダと、携帯端末を製造するメーカと、通信サービスを提供するキャリアと、携帯端末の利用者であるユーザとの間で行う携帯端末の販売方法であって、前記ソフトベンダは、前記ソフトウエアを暗号化する公開鍵と当該暗号化されたソフトウエアを復号化する秘密鍵とを作成し、前記メーカは前記公開鍵を用いて前記ソフトウエアを暗号化し当該暗号化されたソフトウエアを前記携帯端末に組み込み、前記キャリアは前記携帯端末を識別するための識別子を前記ソフトベンダに送り、前記ソフトベンダは当該識別子と当該識別子に対応する前記秘密鍵を前記キャリアに送り、前記キャリアは前記識別子と前記秘密鍵を対応付けて保存し、前記ユーザは使用を望むソフトウエアの秘密鍵を購入し、当該購入した鍵で前記暗号化されたソフトウエアを復号化することを特徴とする。
【００１８】
また、本発明は、ソフトウエアを作成するソフトベンダと、携帯端末を製造するメーカと、通信サービスを提供するキャリアと、携帯端末の利用者であるユーザとの間で行う携帯端末の販売システムであって、前記ソフトベンダは、前記ソフトウエアを暗号化する手段と、前記携帯端末を識別するための識別子と当該識別子に対応する鍵とを前記キャリアに送る手段と、を備えており、前記メーカは、当該暗号化されたソフトウエアを前記携帯端末に組み込む手段と、を備えており、前記キャリアは、前記識別子を前記ソフトベンダに送る手段と、前記識別子と前記鍵を対応付けて保存する手段と、を備えており、前記ユーザは、使用を望むソフトウエアの鍵を購入する手段と、当該購入した鍵で前記暗号化されたソフトウエアを復号化する手段と、を備えており、ここで、前記ソフトベンダは前記暗号化手段で暗号化し、前記メーカは組み込み手段で当該暗号化されたソフトウエアを組み込み、前記キャリアは前記識別子送り手段で前記識別子を送り、前記ソフトベンダは前記鍵を送る手段で前記鍵を送り、前記キャリアは前記識別子と前記鍵を対応付けて保存する手段で保存し、前記ユーザは前記鍵を購入する手段で鍵を購入し、前記復号化手段で前記ソフトウエアを復号化することを特徴とする。
【００１９】
また、本発明は、ソフトウエアを作成するソフトベンダと、携帯端末を製造するメーカと、通信サービスを提供するキャリアと、携帯端末の利用者であるユーザとの間で行う携帯端末の販売システムであって、前記ソフトベンダは、前記ソフトウエアを作成する手段と、を備えており、前記メーカは、パスワードを入力しないと使用できない使用制限をかけつつ前記ソフトウエアを前記携帯端末に組み込む手段と、を備えており、前記キャリアは、前記携帯端末と前記パスワードとを対応付けて保存する手段と、を備えており、前記ユーザは、使用を望むソフトウエアの使用制限を解除する前記パスワードを購入する手段と、購入したパスワードで前記ソフトウエアの前記使用制限を解除する手段と、を備えており、ここで、前記ソフトベンダは前記ソフトウエア作成手段で前記ソフトウエアを作成し、前記メーカは組み込み手段で前記ソフトウエアを組み込み、前記キャリアは前記携帯端末と前記パスワードとを対応付けて保存する手段で保存し、前記ユーザは前記パスワードを購入する手段で前記パスワードを購入し、前記使用制限解除手段で前記ソフトウエアの使用制限を解除することを特徴とする。
【００２０】
また、本発明は、ソフトウエアを作成するソフトベンダと、携帯端末を製造するメーカと、通信サービスを提供するキャリアと、携帯端末の利用者であるユーザとの間で行う携帯端末の販売システムであって、前記ソフトベンダは、前記ソフトウエアを暗号化する公開鍵と当該暗号化されたソフトウエアを復号化する秘密鍵とを作成する手段と、当該識別子と当該識別子に対応する前記秘密鍵を前記キャリアに送る手段と、を備えており、前記メーカは、前記公開鍵を用いて前記ソフトウエアを暗号化し当該暗号化されたソフトウエアを前記携帯端末に組み込む手段と、を備えており、前記キャリアは、前記携帯端末を識別するための識別子を前記ソフトベンダに送る手段と、当該識別子と前記秘密鍵を対応付けて保存する手段と、を備えており、前記ユーザは、使用を望むソフトウエアの秘密鍵を購入する手段と、当該購入した鍵で前記暗号化されたソフトウエアを復号化する手段と、を備えており、ここで、前記ソフトベンダは、前記公開鍵秘密鍵作成手段で前記公開鍵及び前記秘密鍵を作成し、前記メーカは前記組み込み手段で前記ソフトウエアを組み込み、前記キャリアは、前記識別子送り手段で前記識別子を送り、前記ソフトベンダは、前記識別子と前記識別子に対応する秘密鍵を送る手段で当該識別子と前記秘密鍵を送り、前記キャリアは前記保存する手段で前記秘密鍵を保存し、前記ユーザは、前記秘密鍵購入手段で前記秘密鍵を購入し、前記復号化手段で復号化することを特徴とする。
【発明の効果】
【００２１】
本発明によれば、従来は、携帯電話機に組み込まれた他社（ソフトベンダ）のソフト部品のロイヤリティは、メーカが支払っていたが、（エンド）ユーザが携帯電話機を購入後、自分が使用したいソフト部品についてのみ買うことができるため、携帯電話機の購入代金を下げることができるようになる。このように、多くのソフト部品を組み込みながら低価格にできることは、キャリアにとっても有益となる。
【００２２】
また、本発明によれば、ユーザが支払う形となるため、メーカはソフト部品の価格を気にせずに、組み込めるようになる。そのため、ソフトベンダのソフト部品の販売の機会が向上する。従来は、メーカがソフトベンダからソフト部品を購入する形となるため、高機能にしたいが、携帯電話機の価格が上がらないようにするため、組み込むソフト部品を制限しなければならなかった。
【００２３】
また、本発明によれば、たとえば、ブラウザを複数組み込んでおき、ユーザが、それを選択できるというような形式をとることもできる。ソフトベンダは、多くの種類の携帯電話機に自分のソフト部品を搭載することができ、販売の機会を増加させることができる。
【００２４】
さらに、本発明によれば、ユーザが自分の好みのソフトを選択できる機会が向上することが可能となる。そのため、多くの選択肢の中から良いものを選択することができる。
【００２５】
また、従来は、このような選択肢の少なさを、Ｊａｖａ（登録商標）アプリケーションのダウンロードなどにより補っていたが、これには、上記したように、セキュリティ上の問題や処理が重いなどの性能面での問題が生じるが、本発明によれば、事前に組み込まれているため、セキュリティ上の問題はなく、また、事前に組み込んでいるため、Ｊａｖａ（登録商標）のように擬似実行環境は不要であり、処理も高速化することができる。 
【発明を実施するための最良の形態】
【００２６】
以下、添付図面を参照して本発明を実施するための最良の実施の形態を説明する。
【００２７】
［構成の説明］
図１は、本発明の第１の実施の形態の構成を示すブロック図である。
【００２８】
図１に示すように、本実施の形態は、ソフトベンダ１０、メーカ２０及びキャリア３０がネットワーク５０を介して通信可能になっている。
【００２９】
また、キャリア３０は（エンド）ユーザ４０と接触可能となっている。
【００３０】
ソフトベンダ１０は、ソフトウエアを作成する会社で、メーカ２０にブラウザやＦＥＰ（Front End Processor）などのソフト部品（特定の機能をもつソフトウエア）を作成する会社である。ソフトベンダ１０は、暗号化技術を利用して暗号化及び復号化するための鍵を作成したり、この鍵を使用して提供するソフト部品を暗号化したりすることもできる。
【００３１】
メーカ２０は、携帯電話機を製造したり開発したりするメーカのことで、開発した携帯電話機をキャリア３０に売っている。携帯電話機を開発するにあたっては、ブラウザやＦＥＰなどの特定の機能をもつソフトウエアであるソフト部品をソフトベンダ１０から受け取り携帯電話機に組み込む。
【００３２】
キャリア３０は、携帯電話サービスを行う会社であり、メーカ２０から携帯電話機を購入し、ユーザ４０に販売している。また、従来から行われている「コンテンツサービスを行っている会社の代わりに代金をユーザ４０から徴収するサービス」を行うのと同様にして、ソフトベンダ１０から提供される鍵の販売の代行もしている。ユーザ４０に販売される携帯電話機には、この鍵を使ってソフト部品を復号化し、その機能を有効にする機能が事前に組み込まれている。
【００３３】
［動作の説明］
図２は、本実施の形態の動作を示すシーケンスである。
【００３４】
図２に示すように、ソフトベンダ１０は携帯電話機に組み込む、ブラウザやＦＥＰなどの特定の機能を有するソフトウエアであるソフト部品を作成する。また、暗号化及び復号化するための鍵を作成し、鍵を用いて先に作成したソフト部品を暗号化する（ステップＳ１）。
【００３５】
このとき、搭載する携帯電話機の数だけ鍵を作成し、各々の鍵を使用してメーカ２０へ提供するソフト部品を暗号化する。
【００３６】
暗号化されたソフト部品をメーカ２０に送る（ステップＳ２）。
【００３７】
メーカ２０は、暗号化されたソフト部品を受け取り（ステップＳ３）、受け取った、暗号化されたソフト部品を携帯電話機に組み込む（ステップＳ４）。
【００３８】
図３は、図２のステップＳ１からステップＳ４の処理を詳細に示すブロック図である。
【００３９】
メーカ２０は、各ソフトベンダ１０から入手した、暗号化されたソフト部品を携帯電話機に組み込む。このように、暗号化技術を使用することで、鍵がなければ使用できないことを保証することができる。ソフト部品は、暗号化により保護されているため、携帯電話機のセキュリティホールによりソフト部品が利用できるということをなくすことができる。 
【００４０】
次いで、メーカ２０は暗号化されたソフト部品が組み込まれた携帯電話機をキャリア３０へ販売する（ステップＳ５）。
【００４１】
キャリア３０は、暗号化されたソフト部品が組み込まれた携帯電話機を購入すると（ステップＳ６）、メーカ２０から購入した携帯電話機の各々のものを識別するための識別子をソフトベンダ１０に送る（ステップＳ７）。
【００４２】
ソフトベンダ１０は識別子を受け取ると（ステップＳ８）、受け取った識別子を有する携帯電話機に対応する鍵を、各々の識別子に対応させてキャリア３０に送る（ステップＳ９）。
【００４３】
キャリア３０は、識別子と対応された鍵を受け取り（ステップＳ１０）、これらの情報を元に、図４に示すような、携帯電話機と鍵を対応付けたデータベースを作成する（ステップＳ１１）。そして、キャリア３０は携帯電話機をユーザ４０に販売する（ステップＳ１２）。
【００４４】
図４は、携帯電話機と鍵と対応付けたデータベースを示す表である。図４に示すように、キャリア３０では携帯電話機と鍵とを対応付けて、鍵を保管している。
【００４５】
ユーザ４０は、携帯電話機を購入すると（ステップＳ１３）、自分が使用したいソフト部品を使用可能にする鍵を、キャリア３０が提供するホームページなどを使って購入する（ステップＳ１４）。
【００４６】
図５は、ユーザ４０が鍵を購入する際の処理を詳細に示すブロック図である。ユーザ４０は、ホームページなどで自分の利用したいソフト部品を選択し、ＷＥＢから鍵をダウンロードする。代金の支払いは、従来から行われているコンテンツ料金の支払いと同様にして行うことができる。 
【００４７】
ユーザ４０が所有する携帯電話機が鍵を取得し、その鍵に対応したソフト部品を復号化することで、ユーザ４０はそのソフト部品を利用可能となる（ステップＳ１５）。
【００４８】
図６は、ユーザ４０が購入した鍵でソフト部品を利用する際の処理を示すブロック図である。
【００４９】
図６に示すように、キャリア４０のＷＥＢサイトなどから鍵を取得して、その鍵で携帯電話機に組み込まれたソフト部品を復号化する。そうすることで、ユーザ４０はソフト部品を使用することができるようになる。
【００５０】
その後、キャリア３０は、ソフトベンダ１０の代わりに徴収したソフト部品の代金をソフトベンダ１０へ送る（ステップＳ１６）。 
【００５１】
ソフトベンダ１０は、ソフト部品の代金を受け取って（ステップＳ１７）、終了する。
【００５２】
上記したように、本実施の形態によれば、Ｊａｖａ（登録商標）プログラムなどを用いて機能を追加することなく、ユーザ４０が使用したいソフト部品だけを購入するようになるので、ソフト部品の処理機能の低下などをまねかずにソフト部品を購入することができるとともに携帯電話機の購入代金が安くなる。
【００５３】
［第２の実施の形態］
以下、本発明の第２の実施の形態について説明する。
【００５４】
本実施の形態の構成は、第１の実施の形態と同様な構成であり、図１に示すものである。各部が行うことが多少異なるので説明する。
【００５５】
ソフトベンダ１０は、第１の実施の形態の場合同様に、ソフト部品を作成するのであるが、暗号化などのことはしない。
【００５６】
メーカ２０は、本実施の形態では、第１の実施の形態の場合同様に、ソフト部品を携帯電話機に組み込むのであるが、パスワードを入力しないと使用できない使用制限をかけつつソフト部品を組み込む。
【００５７】
キャリア３０は、第１の実施の形態の場合同様に、携帯電話サービスを行う会社である。
【００５８】
図７は、本発明の第２の実施の形態の動作を示すシーケンスである。
【００５９】
図７に示すように、ソフトベンダ１０は、携帯電話機に組み込む、ブラウザやＦＥＰなどの特定の機能を有するソフトウエアであるソフト部品を作成する。（ステップＳ２１）。
【００６０】
作成したソフト部品をメーカ２０に送る（ステップＳ２２）。
【００６１】
メーカ２０は、ソフト部品を受け取り（ステップＳ２３）、受け取ったソフト部品を携帯電話機に組み込む（ステップＳ２４）。このとき、パスワードを入力しないと使用できない使用制限をかけながら、ソフト部品を組み込む。
【００６２】
図８は、図７のステップＳ２１からステップＳ２４の処理を詳細に示すブロック図である。
【００６３】
メーカ２０は、ソフトベンダ１０から入手したソフト部品を、パスワードを入力しないと使用できない使用制限をかけつつ携帯電話機に組み込む。
【００６４】
このように、鍵を用いずにソフト部品の使用制限をかけるようにすることによって、鍵の受け渡しが必要なくなるので、より容易に本発明を実施することが可能となる。
【００６５】
次いで、メーカ２０はソフト部品が組み込まれた携帯電話機をキャリア３０へ販売する。同時に、その携帯電話機のパスワードも渡す（ステップＳ２５）。
【００６６】
キャリア３０は、ソフト部品が組み込まれた携帯電話機を購入し携帯電話機のパスワードを受け取ると（ステップＳ２６）、携帯電話機とパスワードを対応付けたデータベースを作成する（ステップＳ２７）。
【００６７】
そして、キャリア３０は携帯電話機をユーザ４０に販売する（ステップＳ２８）。
【００６８】
図９は、携帯電話機とパスワードとを対応付けたデータベースを示す表である。図９に示すように、キャリア３０では携帯電話機とパスワードとを対応付けて、パスワードを保管している。
【００６９】
ユーザ４０は、ソフト部品が組み込まれた携帯電話機を購入すると（ステップＳ２９）、自分が使用したいソフト部品を使用可能にするパスワードを、キャリア３０が提供するホームページなどを使って購入する（ステップＳ３０）。
【００７０】
図１０は、ユーザ４０がパスワードを購入する際の処理を詳細に示すブロック図である。ユーザ４０は、ホームページなどで自分の利用したい機能を選択し、ＷＥＢからをダウンロードする。代金は、従来から行われているコンテンツ料金の支払いと同様にして行うことができる。 
【００７１】
ユーザ４０が所有する携帯電話機がパスワードを取得し、そのパスワードに対応したソフト部品の使用制限を解除することで、ユーザ４０はそのソフト部品を利用可能となる（ステップＳ３１）。
【００７２】
図１１は、ユーザ４０が購入したパスワードでソフト部品を利用する際の処理を示すブロック図である。
【００７３】
図１１に示すように、キャリア４０のＷＥＢサイトなどからパスワードを取得して、そのパスワードで携帯電話機に組み込まれたソフト部品の使用制限を解除する。そうすることで、ユーザ４０はソフト部品を使用することができるようになる。
【００７４】
その後、キャリア３０は、ソフトベンダ１０の代わりに徴収したソフト部品の代金をソフトベンダ１０へ送る（ステップＳ３１）。 
【００７５】
ソフトベンダ１０は、徴収したソフト部品の代金を受け取って（ステップＳ３２）、処理は終了する。
【００７６】
上記したように、本実施の形態によれば、鍵を用いずにソフト部品の使用制限をかけるようにすることによって、鍵の受け渡しが必要なくなるので、第１の実施の形態の場合より容易に、本発明を実施することが可能となる。
【００７７】
［第３の実施の形態］
以下、本発明の第３の実施の形態について説明する。
【００７８】
本実施の形態の構成は、第１の実施の形態と同様であり、図１に示すものである。各部が行うことが多少異なるので説明する。
【００７９】
ソフトベンダ１０は、第１の実施の形態の場合同様に、ソフト部品を作成するとともに公開鍵及び秘密鍵を作成する。
【００８０】
メーカ２０は、本実施の形態では、第１の実施の形態の場合同様に、ソフト部品を携帯電話機に組み込むのであるが、ソフト部品を組み込む際にソフトベンダ１０が作成した公開鍵を用いて暗号化してからソフト部品を組み込む。
【００８１】
キャリア３０は、第１の実施の形態の場合同様に、携帯電話サービスを行う会社である。
【００８２】
図１２は、本実施の形態の動作を示すシーケンスである。
【００８３】
図１２に示すように、ソフトベンダ１０は携帯電話機に組み込む、ブラウザやＦＥＰなどの特定の機能を有するソフトウエアであるソフト部品を、暗号化及び復号化するための公開鍵及び秘密鍵を作成する（ステップＳ４１）。また、ソフト部品を作成する（ステップＳ４２）。
【００８４】
作成したソフト部品と公開鍵をメーカ２０に送る（ステップＳ４３）。
【００８５】
メーカ２０は、暗号化されたソフト部品と公開鍵を受け取り（ステップＳ４４）、公開鍵を使ってソフト部品を暗号化し携帯電話機に組み込む（ステップＳ４５）。
【００８６】
図１３は、図１２のステップＳ１からステップＳ４の処理を詳細に示すブロック図である。
【００８７】
メーカ２０は、各ソフトベンダ１０から入手したソフト部品を公開鍵で暗号化した上で携帯電話機に組み込む。このように、暗号化技術を使用することで、鍵がなければ使用できないことを保証することができる。ソフト部品は、暗号化により保護されているため、携帯電話機のセキュリティホールによりソフト部品が利用できるということをなくすことができる。
【００８８】
また、公開鍵を利用することで、暗号化をする際にメーカの自由度があがるとともに秘密鍵はメーカに渡さなくともよいため、安全性にも問題がない。 
【００８９】
次いで、メーカ２０は暗号化されたソフト部品が組み込まれた携帯電話機をキャリア３０へ販売する（ステップＳ４６）。
【００９０】
キャリア３０は、暗号化されたソフト部品が組み込まれた携帯電話機を購入すると（ステップＳ４７）、メーカ２０から購入した携帯電話機の各々のものを識別するための識別子をソフトベンダ１０に送る（ステップＳ４８）。
【００９１】
ソフトベンダ１０は識別子を受け取ると（ステップＳ４９）、受け取った識別子を有する携帯電話機に対応する秘密鍵を、各々の識別子に対応させてキャリア３０に送る（ステップＳ５０）。
【００９２】
キャリア３０は、識別子と対応された鍵を受け取り（ステップＳ５１）、これらの情報を元に、図４に示すような、携帯電話機と鍵を対応付けたデータベースを作成する（ステップＳ５２）。そして、キャリア３０は携帯電話機をユーザ４０に販売する（ステップＳ５３）。
【００９３】
図１４は、携帯電話機と秘密鍵と対応付けたデータベースを示す表である。図１４に示すように、キャリア３０では携帯電話機と秘密鍵とを対応付けて、秘密鍵を保管している。
【００９４】
ユーザ４０は、携帯電話機を購入すると（ステップＳ５４）、自分が使用したいプログラムを使用可能にする秘密鍵を、キャリア３０が提供するホームページなどを使って購入する（ステップＳ５５）。
【００９５】
図１５は、ユーザ４０が秘密鍵を購入する際の処理を詳細に示すブロック図である。ユーザ４０は、ホームページなどで自分の利用したいソフト部品を選択し、ＷＥＢから秘密鍵をダウンロードする。代金の支払いは、従来から行われているコンテンツ料金の支払いと同様にして行うことができる。 
【００９６】
ユーザ４０が所有する携帯電話機が秘密鍵を取得し、その秘密鍵で使用可能になるソフト部品を復号化することで、ユーザ４０はそのソフト部品を利用可能となる（ステップＳ５６）。
【００９７】
図１６は、ユーザ４０が購入した秘密鍵でソフト部品を利用する際の処理を示すブロック図である。
【００９８】
図１６に示すように、キャリア４０のＷＥＢサイトなどから秘密鍵を取得して、その秘密鍵で携帯電話機に組み込まれたソフト部品を復号化する。そうすることで、ユーザ４０はソフト部品を使用することができるようになる。
【００９９】
その後、キャリア３０は、ソフトベンダ１０の代わりに徴収したソフト部品の代金をソフトベンダ１０へ送る（ステップＳ５７）。 
【０１００】
ソフトベンダ１０は、徴収した秘密鍵の代金を受け取って（ステップＳ５８）、処理は終了する。
【０１０１】
上記したように、本実施の形態によれば、公開鍵技術を利用しているので、暗号化をする際にメーカの自由度があがるとともに秘密鍵はメーカに渡さなくともよいため、安全性にも問題がない。
【０１０２】
ユーザへの販売方法については、キャリアなどのショップで携帯電話への鍵、パスワードへの情報を入れるという方法も考えられる。
【０１０３】
上記の実施の形態では、携帯端末の例として携帯電話機を用いているが、ソフトウエアを組み込んで使用する端末であれば適用可能である。特に、ＰＤＡには好適である。
【図面の簡単な説明】
【０１０４】
【図１】本発明の第１の実施の形態の構成を示すブロック図である。
【図２】本発明の第１の実施の形態の動作を示すシーケンスである。
【図３】図２のステップＳ１からステップＳ４の処理を詳細に示すブロック図である。
【図４】携帯電話機と鍵と対応付けたデータベースを示す表である。
【図５】ユーザ４０が鍵を購入する際の処理を詳細に示すブロック図である。
【図６】ユーザ４０が購入した鍵でソフト部品を利用する際の処理を示すブロック図である。
【図７】本発明の第２の実施の形態の動作を示すシーケンスである。
【図８】図７のステップＳ２１からステップＳ２４の処理を詳細に示すブロック図である。
【図９】携帯電話機とパスワードとを対応付けたデータベースを示す表である。
【図１０】ユーザ４０がパスワードを購入する際の処理を詳細に示すブロック図である。
【図１１】ユーザ４０が購入したパスワードでソフト部品を利用する際の処理を示すブロック図である。
【図１２】本発明の第３の実施の形態の動作を示すシーケンスである。
【図１３】図１２のステップＳ１からステップＳ４の処理を詳細に示すブロック図である。
【図１４】携帯電話機と秘密鍵と対応付けたデータベースを示す表である。
【図１５】ユーザ４０が秘密鍵を購入する際の処理を詳細に示すブロック図である。
【図１６】ユーザ４０が購入した秘密鍵でソフト部品を利用する際の処理を示すブロック図である。
【符号の説明】
【０１０５】
１０  ソフトベンダ
２０  メーカ
３０  キャリア
４０  ユーザ
５０  ネットワーク  
【図１】
2005293079.tif 000003
【図２】
2005293079.tif 000004
【図３】
2005293079.tif 000005
【図４】
2005293079.tif 000006
【図５】
2005293079.tif 000007
【図６】
2005293079.tif 000008
【図７】
2005293079.tif 000009
【図８】
2005293079.tif 000010
【図９】
2005293079.tif 000011
【図１０】
2005293079.tif 000012
【図１１】
2005293079.tif 000013
【図１２】
2005293079.tif 000014
【図１３】
2005293079.tif 000015
【図１４】
2005293079.tif 000016
【図１５】
2005293079.tif 000017
【図１６】
2005293079.tif 000018